(57)【要約】【課題】軽くかつ高強度の大型魚用のルアーを提供すること。【解決手段】ライン取着部とフックとを備え、同ライン取着部をライン先端位置に取り付けて生き餌の代わりに水中を泳がせるようにして使用する魚釣り用のルアーにおいて、２枚の木の葉状のブレード１２間に間隔保持部プレート１３を屈曲部１５に沿って水平に配設する。ブレード１２中央寄りの幅広部１４の上下縁部１６，１７を連結させることで強固な構造とし、ブレード１２内部に前後方向に貫通する内部通路を形成させる。これによって軽量かつ高強度の大型のルアーを提供することが可能となる。【選択図】      図３
2004344034.tif 000002
【特許請求の範囲】
【請求項１】
ライン取着部とフックとを備え、同ライン取着部をライン先端位置に取り付けて生き餌の代わりに水中を泳がせるようにして使用する魚釣り用のルアーにおいて、
長尺板状を成す複数の硬質プレートと同各硬質プレート間に配設された間隔保持部材とを備え、同間隔保持部材によって同両硬質プレートを所定間隔をもって平行又は略平行に保持させるとともに、同各硬質プレートを互いの上縁及び下縁位置にて連結させて前後方向に貫通する内部通路を形成させるようにしたことを特徴とするルアー。
【請求項２】
前記各硬質プレートは少なくとも中央寄りが上下方向に幅広に構成された幅広部とされるとともに同幅広部から少なくとも前方向にかけて徐々に窄まった流線型状に形成されており、同幅広部の上縁及び下縁がそれぞれ他の硬質プレートの幅広部と連結されていることを特徴とする請求項１に記載のルアー。
【請求項３】
前記間隔保持部材は前後に延出される平板体であり、同平板体の長手方向縁部は前記硬質プレートの上下方向の略中央位置にて当接するとともに、同硬質プレートは同当接位置からそれぞれ斜め内側に屈折して延出され上縁及び下縁位置にて連結させるようにしたことを特徴とする請求項１又は２に記載のルアー。
【発明の詳細な説明】
【０００１】
【発明の属する技術分野】本発明は魚釣りに使用されるルアーに関するものである。
【０００２】
【従来の技術】近年の魚釣りにおいては生き餌の代わりにルアーが使用されることが多くなってきた。ルアーは魚種に応じていろいろな種類が使い分けられている。例えば大型魚を釣りの対象とするのであればそれに応じて大型のルアーを用いる必要がある。このような大型魚用のルアーの一例としてメタルジグがある。メタルジグは主として鉛合金等の重量がある金属から構成されており、飛びやすく遠投に適しており、深い位置の大型魚を釣る場合には沈降性がよく多用されるルアーである。
【０００３】
【発明が解決しようとする課題】ところで、ルアーでの魚釣りにおいてはルアーにあたかも小魚が泳ぐような挙動をさせている（いわゆるルアーにアクションをさせること）。例えばラインを繰り出したり、所定のタイミングでこのラインをしゃくり上げたりという釣りの対象とする魚を誘うような動作である。しかし、ルアー（ここではメタルジグ）を大型化することによって重量が増すこととなり釣人がルアーにこのようなアクションをさせるのが必ずしも容易ではなかった。
また、中深度〜上層部を住処とする大型魚に対してはこのような従来のメタルジグでは不十分であった。つまり上記のようにメタルジグは重量があることから沈降速度が早過ぎ、中深度〜上層部付近で大型のメタルジグに魚の注目を受けるような挙動をさせることがテクニックとして困難であったからである。
そのため金属よりも軽い他の材質、例えば樹脂や木製で大型なルアーを作りこれにおもりを付けて中深度〜上層部で使用するということも考えられるが、これらのような構成では顎が強い大型魚によってルアーが噛みつぶされて壊れてしまうおそれがあった。そのため、構造的に強固でありなおかつ軽量であるにもかかわらず大型化が可能なルアーが求められていた。
本発明は上記課題を解決するためのものである。その目的は軽くかつ高強度の大型魚用のルアーを提供することにある。
【０００４】
【課題を解決するための手段】上記課題を解決するために、請求項１に記載の発明では、ライン取着部とフックとを備え、同ライン取着部をライン先端位置に取り付けて生き餌の代わりに水中を泳がせるようにして使用する魚釣り用のルアーにおいて、長尺板状を成す複数の硬質プレートと同各硬質プレート間に配設された間隔保持部材とを備え、同間隔保持部材によって同両硬質プレートを所定間隔をもって平行又は略平行に保持させるとともに、同各硬質プレートを互いの上縁及び下縁位置にて連結させて前後方向に貫通する内部通路を形成させるようにしたことをその要旨とする。
請求項２に記載の発明では請求項１の発明の構成に加え、  前記各硬質プレートは少なくとも中央寄りが上下方向に幅広に構成された幅広部とされるとともに同幅広部から少なくとも前方向にかけて徐々に窄まった流線型状に形成されており、同幅広部の上縁及び下縁がそれぞれ他の硬質プレートの幅広部と連結されていることをその要旨とする。
請求項３に記載の発明では請求項１又は２の発明の構成に加え、前記間隔保持部材は前後に延出される平板体であり、同平板体の長手方向縁部は前記硬質プレートの上下方向の略中央位置にて当接するとともに、同硬質プレートは同当接位置からそれぞれ斜め内側に屈折して延出され上縁及び下縁位置にて連結させるようにしたことをその要旨とする。
【０００５】
上記のような構成では、長尺板状の複数の硬質プレートは間隔保持部材によって所定間隔をもって平行又は略平行に保持されるため、内部に貫通する内部通路が形成された立体的な外観を呈し、各硬質プレートは互いの上縁及び下縁位置において連結させられているため、外郭が薄手の硬質プレートによって構築されているにも関わらず高強度を得ることができる。
硬質プレートは前後が窄まったいわゆる木の葉状に形成されることが見た目が大型魚の餌である小魚に見えることと水中での抵抗を極力少なくするという点から好ましい。少なくとも流線型状であることが水中での抵抗を極力少なくするという点から好ましい。硬質プレートの素材は一般には金属製であるが、高強度プラスチックを使用することも可能である。
また、間隔保持部材は前後に延出される平板体であり、同平板体の長手方向縁部は前記硬質プレートの上下方向の略中央位置にて当接するとともに、同硬質プレートは同当接位置からそれぞれ斜め内側に屈折して延出され上縁及び下縁位置にて連結させるようにすることが好ましい。すなわち、ルアーの前端あるいは後端側から目視した際に間隔保持部材と硬質プレートとが三角形形状のいわゆるトラス構造を構築することが強度上好ましい。
また、ライン取着部とフックは硬質プレートの前後端位置に配置することがもっとも好ましいが、ルアーに特殊な動きを加える場合や複数のフックを取り付ける場合には中間位置にも配置可能である。
【０００６】
【発明の効果】以上のように構成することで上記各請求項の発明では、軽く高強度な大型のルアーを得ることがでる。
【０００７】
【発明の実施の形態】
以下、本発明の構造を具体化した実施の形態について図面に基づいて説明する。尚、以下の説明における前とは図１又は図９における左方向をいい、後とは図１又は図９における右方向をいう。また、実際にはルアーには種々の装飾（色彩、模様等）が施されるが本実施の形態ではそれらは省略して図示する。
（実施の形態１）
図１〜図４に示すように、本実施の形態１のルアー１１は硬質プレートとしての２枚のブレード１２と両ブレード１２間に配置された間隔保持部材としての間隔保持プレート１３とから基本的な骨格が構成されている。本実施の形態１のルアー１１は図示しない金型を使用して成形された鋳造品（金属製品）として得られる。
各ブレード１２は前後方向にかけて徐々に窄まった前後及び上下方向に対称な木の葉状に形成され、中央寄り上下方向はもっとも幅広に構成された幅広部１４とされている。両ブレード１２は完全に左右対称形状とされている。両ブレード１２は対向する上下方向中央位置において長手方向に延びる直線状の屈曲部１５を基部として図４のように端部方向から目視された状態で各々逆方向に略く字状となるように屈曲形成されている。両ブレード１２の上下縁部１６，１７は同幅広部１４において接合されている。すなわち、図４に示すように端部方向からの目視において両ブレード１２は略菱形状を呈することとなっている。
【０００８】
間隔保持プレート１３は両ブレード１２の屈曲部１５位置であって両ブレード１２に挟まれた内部に水平に配設されている。間隔保持プレート１３は長手方向の左右の縁部が平行に延出された長矩形の板体であって、図１及び図２に示すように側方視においてその長手方向両端部寄りが両ブレード１２の前後から若干突出されて突出部１８とされている。両突出部１８にはそれぞれ１つの取り付け孔１９が形成されている。前方側の取り付け孔１９にはライン取着用のリング２０が取着されており、後方側の取り付け孔１９にはフック取着用のリング２１が取着されている。本実施の形態１ではリング２１には３本針のフック２２が取着されている。
【０００９】
このように構成された本実施の形態１のルアー１１の立体的構造をさらに詳しく説明する。
間隔保持プレート１３の長手方向の左右の縁部が平行に延出されているため、図１に示すように両ブレード１２の間隔は一定とされる。図４に示すようにルアー１１は間隔保持プレート１３と斜め上方及び下方に伸びる両ブレード１２の上下半身部分とから２つの三角形Ｔ１，Ｔ２が内部に構成されることとなる。つまりルアー１１は構成部材によって一種のトラス構造が構築されることとなり、薄い金属板を組み合わせた構造にもかかわらず十分な強度を発揮し得る。一方で、両ブレード１２の前後方向には途中に抵抗となる凹凸や変形のない滑らかな内面で形成されたトンネル状の内部通路が構成されることとなる。
また、図１に示すように、両ブレード１２の前後端部寄りは先細りになっていることから平面視において両ブレード１２の間隔が開いて間隔保持プレート１３の長手方向の端部位置が大きく開放されている。
【００１０】
次にこのようなルアー１１の使用方法について簡単に説明する。例えば図５に示すように船の上で釣人がラインＬを操作して本実施の形態１のルアー１１に所定のアクションをさせることとする。この時図５のように一旦沈めたルアー１１をしゃくり上げてアクションをさせる場合においては大型であるにもかかわらず比較的軽量であるためそれほど重く感ぜず操作がしやすくなっている。また、ルアー１１は金属製であるが中空品で比較的軽量であるため沈降しにくく中深度〜上層位置を泳がせることが可能となる。
このような実施の形態１のルアー１１では次のような効果が奏される。
（１）中密の同程度の重量のルアーと比較した場合に同程度の沈降速度であるにもかかわらず外観はかなり大型化されている。つまり逆に言えば、同程度の外観の中密のルアーに比べて格段に軽量であるため、所定のアクションをさせる場合に極めて操作性がよく、沈降速度も相対的に遅くなるため中深度〜上層位置に住む大型魚を釣る際に最適である。
（２）両ブレード１２は流線型で水の抵抗が少ないことに加え、両ブレード１２の間は前後に抜ける内部通路が構成されているため、上記のようにルアー１１に所定のアクションをさせる場合において必要以上にラインに負荷がかかることがない。
（３）間隔保持プレート１３と斜め上方及び下方に伸びる両ブレード１２の上下半身部分とから構成されるトラス構造によって非常に堅固な製品となっており、大型魚の強い顎によってくわえられても容易に変形したり壊れたりすることが少なくなる。
（４）平面視において両ブレード１２の間隔が開いて間隔保持プレート１３の長手方向の後端部位置が大きく開放されている。そのため、フック２２が両ブレード１２間に挟まれてしまう（両ブレード１２によって隠されてしまう）といったことが起こらないためこのルアー１１をくわえた魚にフック２２がかからないといった不具合が生じにくい。
【００１１】
（実施の形態２）
上記実施の形態１では左右２枚のブレード１２を使用したが、３枚以上のブレードを使用してもよい。本実施の形態２では実施の形態１と共通する部材については共通の符号を付すことで詳しい説明は省略する。
図７〜図９に示すように、実施の形態２のルアー１１は３枚のブレード１２，２６を備えている。左右のブレード１２の構成は上記実施の形態１と同様である。両ブレード１２に挟まれた中央のブレード２６は左右のブレード１２よりも前後が若干長い前後方向にかけて徐々に窄まった前後及び上下方向に対称な木の葉状に形成されている。左右のブレード１２とは異なり屈曲されておらず平板状とされており、中央寄り上下方向が左右のブレード１２と同幅に構成されている。３枚のブレードの上下縁部１６，１７は同幅広部１４において接合されている。すなわち、図８に示すように端部方向からの目視において底部が共通した二等片三角形が合わさった略菱形状を呈することとなっている。
【００１２】
本実施の形態２における間隔保持プレート１３は中央のブレード２６及び左右のブレード１２間のちょうど中央位置（両ブレード１２の屈曲部１５位置）に１枚ずつ配設されている。これによって図８に示すように中央のブレード２６と両間隔保持プレート１３によって直交する十字状の構造が構築される。
中央のブレード２６両端には取り付け孔２７が形成されている。前方側の取り付け孔２７にはライン取着用のリング２０が取着されており、後方側の取り付け孔２７にはフック取着用のリング２１が取着されている。本実施の形態２でもリング２１には３本針のフック２２が取着されている。
このような構成の実施の形態２でも上記実施の形態１と同様の効果が奏されることとなる。
【００１３】
上記実施の形態は、以下のように具体化されてもよい。
・上記各実施の形態では両ブレード１２は屈曲形成されていたが、図６に示すように、両ブレード２５を屈曲させずに湾曲させるようにしてもよい。
・上記各実施の形態は鋳造成形でルアー１１を製造するようにしていたが、溶接や、鍛造で製造してもよい。
・ライン取着用のリング２０の位置やフック取着用のリング２１の位置（つまり、取り付け孔１９，２７位置と考えてもよい）は上記各実施の形態に限定されるものではない。
・フック２２の形状や数は上記実施の形態に限定されることはない。
・上記各実施の形態のブレード１２，２６の形状は一例であって、水中での動作に変化を持たせるために他の形状で構成することは自由である。
・上記各実施の形態の間隔保持プレート１３は一例であって、強度を向上させるたり水中での動作に変化を持たせたりするために他の形状の間隔保持部材を使用することは自由である。
・上記の釣り方は釣りの一態様であって、例えばトローリングに使用することも自由である。
その他、本発明の趣旨を逸脱しない範囲において変更した態様で実施することは自由である。
【００１４】
本発明の目的を達成するために上記実施の形態から把握できるその他の技術的思想について下記に付記として説明する。
（１）前記各硬質プレートは中央寄りが上下方向に幅広に構成された幅広部とされるとともに同幅広部から前後方向にかけて徐々に窄まった木の葉状に形成されており、同幅広部の上縁及び下縁がそれぞれ他の硬質プレートの幅広部と連結されていることを特徴とする請求項１〜３のいずれかに記載のルアー。
（２）前記硬質プレートは３枚以上であって、同各硬質プレート間に前記間隔保持部材が配設されていることを特徴とする請求項１〜３若しくは付記１のいずれかに記載のルアー。
（３）前記硬質プレートは前後又は／及び上下方向に対称形状であることを特徴とする請求項１〜３若しくは付記１又は２のいずれかに記載のルアー。
【００１５】
【図面の簡単な説明】
【図１】本発明の実施の形態１のルアーの平面図。
【図２】同じルアーの側面図。
【図３】同じルアーの斜視図。
【図４】同じルアーの後面図。
【図５】実施の形態１のルアーを使用した釣り方法を例示した概略説明図。
【図６】他の実施の形態の後面図。
【図７】実施の形態２のルアーの斜視図。
【図８】同じルアーの後面図。
【図９】同じルアーの平面図。
【符号の説明】
１１…ルアー、１２…硬質プレートとしてのブレード、１３…間隔保持部材としての間隔保持プレート、１４…幅広部、１６，１７…上縁部及び下縁部、２０…ライン取着部としてのライン取着用のリング、２２…フック。
【図１】
2004344034.tif 000003
【図２】
2004344034.tif 000004
【図３】
2004344034.tif 000005
【図４】
2004344034.tif 000006
【図５】
2004344034.tif 000007
【図６】
2004344034.tif 000008
【図７】
2004344034.tif 000009
【図８】
2004344034.tif 000010
【図９】
2004344034.tif 000011